【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
組織部位における創傷に減圧を提供して、当該創傷内の組織の成長を促進する装置において：
前記創傷内のインプラント用足場であって、前記組織の成長用構造を提供し、前記創傷と流体連通するチャネルを有する足場と；
前記チャネルの少なくとも一部を覆い、マイクロバブルを含有するように構成された組成物を有する化学物質と；
前記減圧を前記足場に提供するマニフォールドと；
を具えることを特徴とする装置。
【請求項２】
請求項１に記載の装置において、前記化学物質に予めマイクロバブルが形成されていることを特徴とする装置。
【請求項３】
請求項１に記載の装置において、前記化学物質が前記化学物質の気相転移を含む刺激に反応して、マイクロバブルを形成するように動作可能であることを特徴とする装置。
【請求項４】
請求項１に記載の装置において、前記足場が前記チャネルを形成する管腔表面を有するほぼ筒型形状であることを特徴とする装置。
【請求項５】
請求項１に記載の装置において、前記足場が前記創傷と流体連通する複数のチャネルを有するほぼ筒型形状であり、前記チャネルの一部が少なくとも部分的に前記化学物質で覆われていることを特徴とする装置。
【請求項６】
請求項１に記載の装置において、前記化学物質がペルフルオロカーボンを含むことを特徴とする装置。
【請求項７】
請求項６に記載の装置において、前記ペルフロオロカーボンが、ペルフルオロペンタン（Ｃ５Ｆ１２）あるいはデカフルオロブタン（Ｃ４Ｆ１０）のうちの一つであることを特徴とする装置。
【請求項８】
請求項１に記載の装置において、前記化学物質が更に、両親媒性物質を含むことを特徴とする装置。
【請求項９】
請求項８に記載の装置において、前記両親媒性物質がブロックコポリマであることを特徴とする装置。
【請求項１０】
請求項９に記載の装置において、前記ブロックコポリマが、ポリ（エチレンオキサイド）−ブロック−ポリ（Ｌ−ラクチド）（ＰＥＧ−ＰＬＬＡ）、ポリ（エチレンオキサイド）−ブロック−ポリ（カプロラクトン）、あるいはプルロニック（Ｐｌｕｒｏｎｉｃ）Ｐ−１０５であることを特徴とする装置。
【請求項１１】
請求項１に記載の装置において、前記化学物質が更に、生物活性剤を具えることを特徴とする装置。
【請求項１２】
請求項１１に記載の装置において、前記生物活性剤が抗生物質と成長ファクタのうちの少なくとも一方であることを特徴とする装置。
【請求項１３】
請求項１１に記載の装置において、前記生物活性剤が、成長ホルモン（ＧＨ）、骨形態形成たんぱく質（ＢＭＰ）、形質変換成長ファクタ−α（ＴＧＦ−α）、ＴＧＦ−β、繊維芽細胞成長ファクタ（ＦＧＦ）、顆粒球−コロニー刺激ファクタ（Ｇ−ＣＳＦ）、顆粒球／マクロファージ−コロニー刺激ファクタ（ＧＭ−ＣＳＦ）、上皮成長ファクタ（ＥＧＦ）、血小板由来成長ファクタ（ＰＤＧＦ）、インスリン様成長ファクタ（ＩＧＦ）、脈管内皮成長ファクタ（ＶＥＧＦ）、肝細胞成長ファクタ／散乱ファクタ（ＨＧＦ／ＳＦ）、インターロイキン、腫瘍壊死ファクタ−α（ＴＮＦ−α）、あるいは神経成長ファクタ（ＮＧＦ）であることを特徴とする装置。
【請求項１４】
組織部位における創傷に減圧を提供して、当該創傷内の組織の成長を促進するシステムにおいて：
減圧を供給する減圧源と；
前記組織部位に減圧を提供する前記減圧源と流体連通するマニフォールドと；
前記創傷に前記減圧を送達する前記マニフォールドと流体連通する足場であって、前記創傷内の前記組織の成長をサポートする構造と、前記創傷と流体連通する前記構造内に少なくとも一のチャネルを有し、当該チャネルが管腔表面を有する、足場と；
前記管腔表面の少なくとも一部を覆い、前記足場内の少なくとも一のチャネルを通る前記創傷からの流体フローを促進するように構成したマイクロバブルを含有する化学物質と；
を具えることを特徴とするシステム。
【請求項１５】
請求項１４に記載のシステムにおいて、前記化学物質に予めマイクロバブルが形成されていることを特徴とするシステム。
【請求項１６】
請求項１４に記載のシステムにおいて、前記化学物質が前記化学物質の気相転移を含む刺激に反応して、マイクロバブルを形成するように動作可能であることを特徴とするシステム。
【請求項１７】
請求項１４に記載のシステムにおいて、前記足場が前記創傷と流体連通する一のチャネルを有するほぼ筒型形状であることを特徴とするシステム。
【請求項１８】
請求項１４に記載のシステムにおいて、前記足場が前記創傷と流体連通する複数のチャネルを有するほぼ筒型形状であり、前記チャネルの一部が少なくとも部分的に前記化学物質で覆われていることを特徴とするシステム。
【請求項１９】
請求項１４に記載のシステムにおいて、前記化学物質がペルフルオロカーボンを含むことを特徴とするシステム。
【請求項２０】
請求項１９に記載のシステムにおいて、前記ペルフロオロカーボンが、ペルフルオロペンタン（Ｃ５Ｆ１２）あるいはデカフルオロブタン（Ｃ４Ｆ１０）のうちの一つであることを特徴とするシステム。
【請求項２１】
請求項１４に記載のシステムにおいて、前記化学物質が更に、両親媒性物質を含むことを特徴とするシステム。
【請求項２２】
請求項２１に記載のシステムにおいて、前記両親媒性物質がブロックコポリマであることを特徴とするシステム。
【請求項２３】
請求項２２に記載のシステムにおいて、前記ブロックコポリマが、ポリ（エチレンオキサイド）−ブロック−ポリ（Ｌ−ラクチド）（ＰＥＧ−ＰＬＬＡ）、ポリ（エチレンオキサイド）−ブロック−ポリ（カプロラクトン）、あるいはプルロニック（Ｐｌｕｒｏｎｉｃ）Ｐ−１０５であることを特徴とするシステム。
【請求項２４】
請求項１４に記載のシステムにおいて、前記化学物質が更に、生物活性剤を具えることを特徴とするシステム。
【請求項２５】
請求項２４に記載のシステムにおいて、前記生物活性剤が抗生物質と成長ファクタのうちの少なくとも一方であることを特徴とするシステム。
【請求項２６】
請求項２４に記載のシステムにおいて、前記生物活性剤が、成長ホルモン（ＧＨ）、骨形態形成たんぱく質（ＢＭＰ）、形質変換成長ファクタ−α（ＴＧＦ−α）、ＴＧＦ−β、繊維芽細胞成長ファクタ（ＦＧＦ）、顆粒球−コロニー刺激ファクタ（Ｇ−ＣＳＦ）、顆粒球／マクロファージ−コロニー刺激ファクタ（ＧＭ−ＣＳＦ）、上皮成長ファクタ（ＥＧＦ）、血小板由来成長ファクタ（ＰＤＧＦ）、インスリン様成長ファクタ（ＩＧＦ）、脈管内皮成長ファクタ（ＶＥＧＦ）、肝細胞成長ファクタ／散乱ファクタ（ＨＧＦ／ＳＦ）、インターロイキン、腫瘍壊死ファクタ−α（ＴＮＦ−α）、あるいは神経成長ファクタ（ＮＧＦ）であることを特徴とするシステム。
【請求項２７】
請求項１４に記載のシステムにおいて、前記足場に低圧チャンバが予め形成されていることを特徴とするシステム。
【請求項２８】
組織部位における創傷に減圧を提供して、当該創傷内の組織の成長を促進する装置において：
前記組織の成長用構造を提供する前記創傷のインプラント用足場であって、第１の材料で形成されており、その中にチャネルが形成されており、前記減圧に応じて分解する第２の材料を具える足場と；
前記足場に減圧を提供するマニフォールドであって、前記第２の材料が分解して前記足場内に前記創傷からの流体フローを強化する経路を形成する、マニフォールドと；
を具えることを特徴とする装置。
【請求項２９】
請求項２８に記載の装置において、前記第１の材料が分解性であって、前記第２の材料が前記第１の材料より速い速度で分解することを特徴とする装置。
【請求項３０】
請求項２８に記載の装置において、前記第２の材料がハイドロコロイドを含むことを特徴とする装置。
【請求項３１】
請求項３０に記載の装置において、前記ハイドロコロイドがポリサッカライドを含むことを特徴とする装置。
【請求項３２】
請求項２８に記載の装置において、前記足場が骨内の創傷にインプラントするように構成されていることを特徴とする装置。
【請求項３３】
請求項２８に記載の装置において、前記第２の材料が更に、生物活性剤を具えることを特徴とする装置。
【請求項３４】
請求項３３に記載の装置において、前記生物活性剤が成長ファクタと抗生物質の少なくとも一方であることを特徴とする装置。
【請求項３５】
請求項３３に記載の装置において、前記生物活性剤が、成長ホルモン（ＧＨ）、骨形態形成たんぱく質（ＢＭＰ）、形質変換成長ファクタ−α（ＴＧＦ−α）、ＴＧＦ−β、繊維芽細胞成長ファクタ（ＦＧＦ）、顆粒球−コロニー刺激ファクタ（Ｇ−ＣＳＦ）、顆粒球／マクロファージ−コロニー刺激ファクタ（ＧＭ−ＣＳＦ）、上皮成長ファクタ（ＥＧＦ）、血小板由来成長ファクタ（ＰＤＧＦ）、インスリン様成長ファクタ（ＩＧＦ）、脈管内皮成長ファクタ（ＶＥＧＦ）、肝細胞成長ファクタ／散乱ファクタ（ＨＧＦ／ＳＦ）、インターロイキン、腫瘍壊死ファクタ−α（ＴＮＦ−α）、あるいは神経成長ファクタ（ＮＧＦ）であることを特徴とする装置。
【請求項３６】
神経組織とマイクロチップアッセンブリを接続するシステムにおいて：
減圧源と；
神経組織に隣接して配置するように構成した生体適合性導管であって、前記減圧源に流体連結されている導管と；
前記動管内に配置したマイクロチップアッセンブリと；を具え、
前記減圧源の減圧が、前記神経組織の成長を促進して、前記マイクロチップアッセンブリに動作可能に接続することを特徴とするシステム。
【請求項３７】
請求項３６に記載のシステムにおいて、前記導管が生体吸収性であることを特徴とするシステム。
【請求項３８】
請求項３６に記載のシステムが更に、前記減圧源と前記導管を流体連結するインターフェースを具えることを特徴とするシステム。
【請求項３９】
請求項３６に記載のシステムにおいて、前記マイクロチップアッセンブリが電子制御ユニットに接続されていることを特徴とするシステム。
【請求項４０】
請求項３６に記載のシステムにおいて、前記マイクロチップアッセンブリが人工装具又は矯正装具に接続されていることを特徴とするシステム。
【請求項４１】
請求項３６に記載のシステムにおいて、前記神経組織が前記導管内に配置されていることを特徴とするシステム。